(57)【要約】  マルチキャスト情報の送信用に割り当てられたサブフレームを用いてユニキャスト情報送信する際に、消費電力を削減することができる移動通信システムを提供することを目的とする。本発明にかかる移動通信システムは、マルチキャスト情報及びユニキャスト情報の送信に利用可能な第１の無線リソース群と、第１の無線リソース群とは異なる第２の無線リソース群とが規定されている。この場合に、移動通信システムは、第１の無線リソース群を用いてユニキャスト情報を送信するか否かに関する第１の情報を移動局（２０）へ通知するように構成されている無線基地局（１０）と、無線基地局（１０）から受け取った、第１の情報に基づいて、第１の無線リソース群の受信動作を制御するように構成されている移動局（２０）と、を備える。
2013014856.tif 000002
【特許請求の範囲】
【請求項１】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ通知するように構成されている無線基地局と、
前記無線基地局から受け取った前記第１の情報に基づいて、前記第１の無線リソース群の受信動作を制御するように構成されている移動局と、を備える移動通信システム。
【請求項２】
前記無線基地局は、
前記第１の無線リソース群を用いて前記ユニキャスト情報を送信するか否かが決定された後に、複数の移動局に対して前記第１の無線リソース群及び前記第２の無線リソース群に含まれる無線リソースを割り当てるように構成されている、請求項１に記載の移動通信システム。
【請求項３】
前記無線基地局は、
前記第１の情報をセルに在圏する複数の移動機に対して一斉に通知するメッセージに設定するように構成されている、請求項１又は２に記載の移動通信システム。
【請求項４】
前記セルに在圏する複数の移動機に対して一斉に通知するメッセージは、
System Information Blockである、請求項３に記載の移動通信システム。
【請求項５】
前記無線基地局は、
前記第１の情報をセルに在圏する複数の移動機に対して個別に通知するメッセージに設定するように構成されている請求項１又は２に記載の移動通信システム。
【請求項６】
前記セルに在圏する複数の移動機に対して個別に通知するメッセージは、
RRCConectionSetupメッセージ、MAC control element、又は、DCI formatである、請求項５に記載の移動通信システム。
【請求項７】
前記第２の無線リソース群は、
前記マルチキャスト情報の送信には利用されない、請求項１乃至６のいずれか１項に記載の移動通信システム。
【請求項８】
前記第１及び第２の無線リソース群は、
複数のタイムスロットにより構成されるフレームである、請求項１乃至７のいずれか１項に記載の移動通信システム。
【請求項９】
前記第１の無線リソース群は、マルチキャスト情報及びユニキャスト情報の送信に利用可能なＭＢＳＦＮサブフレームであり、前記第２の無線リソースは、ユニキャスト情報のみの送信に利用可能なノーマルサブフレームである、請求項８に記載の移動通信システム。
【請求項１０】
前記移動局は、
前記第１の情報が、前記第１の無線リソース群を用いて前記ユニキャスト情報を送信することを示す場合、前記第１の無線リソース群に設定され得る前記ユニキャスト情報の受信動作を行うように構成され、
前記第１の情報が、前記第１の無線リソース群を用いて前記ユニキャスト情報を送信しないことを示す場合、前記第１の無線リソース群に設定され得る前記ユニキャスト情報の受信動作を行わないように構成されている、請求項１乃至９のいずれか１項に記載の移動通信システム。
【請求項１１】
前記移動局が、前記無線基地局から前記ユニキャスト情報のみを受け取る第１の移動局、又は前記マルチキャスト情報及び前記ユニキャスト情報を受け取る第２の移動局であって、前記第１の情報が、前記第１の無線リソース群を用いて前記ユニキャスト情報を送信しないことを示す場合、前記第１及び第２の移動局は、前記第１の無線リソース群に設定され得る前記ユニキャスト情報の受信動作を行わないように構成されている、請求項１０に記載の移動通信システム。
【請求項１２】
前記移動局が、前記第２の移動局であって、前記第１の情報が、前記第１の無線リソース群を用いて前記ユニキャスト情報を送信することを示す場合、前記第２の移動局は、複数の前記第１の無線リソース群のうち前記マルチキャスト情報が送信される第１の無線リソースにおける前記ユニキャスト情報の受信動作を行わないように構成されている、請求項１０又は１１に記載の移動通信システム。
【請求項１３】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信するデータ送信手段と、を備える無線基地局。
【請求項１４】
前記第１の無線リソース群を用いて前記ユニキャスト情報を送信するか否かが決定された後に、複数の移動局に対して前記第１の無線リソース群及び前記第２の無線リソース群に含まれる無線リソースを割り当てるスケジューリング手段をさらに備える、請求項１３に記載の無線基地局。
【請求項１５】
前記データ送信手段は、
前記第１の情報を、セルに在圏する複数の移動機に対して一斉に通知するメッセージに設定して前記移動局へ通知する、請求項１３又は１４に記載の無線基地局。
【請求項１６】
前記セルに在圏する複数の移動機に対して一斉に通知するメッセージは、
System Information Blockである、請求項１５に記載の無線基地局。
【請求項１７】
前記データ送信手段は、
前記第１の情報を、セルに在圏する複数の移動機に対して個別に通知するメッセージに設定して前記移動局へ通知する、請求項１３又は１４に記載の無線基地局。
【請求項１８】
前記セルに在圏する複数の移動機に対して個別に通知するメッセージは、
RRCConectionSetupメッセージ、MAC control element、又は、DCI formatである、請求項１７に記載の無線基地局。
【請求項１９】
前記第２の無線リソース群は、
前記マルチキャスト情報の送信には利用されない、請求項１３乃至１８のいずれか１項に記載の無線基地局。
【請求項２０】
前記第１及び第２の無線リソース群は、複数のタイムスロットにより構成されるフレームである、請求項１３乃至１９のいずれか１項に記載の無線基地局。
【請求項２１】
前記第１の無線リソース群は、マルチキャスト情報及びユニキャスト情報の送信に利用可能なＭＢＳＦＮサブフレームであり、前記第２の無線リソースは、ユニキャスト情報のみの送信に利用可能なノーマルサブフレームである、請求項２０に記載の無線基地局。
【請求項２２】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御する受信動作制御手段、を備える移動局。
【請求項２３】
前記受信動作制御手段は、
前記第１の情報が、前記第１の無線リソース群を用いて前記ユニキャスト情報を送信することを示す場合、前記第１の無線リソース群に設定され得る前記ユニキャスト情報の受信動作を行い、
前記第１の情報が、前記第１の無線リソース群を用いて前記ユニキャスト情報を送信しないことを示す場合、前記第１の無線リソース群に設定され得る前記ユニキャスト情報の受信動作を行わない、請求項２２に記載の移動局。
【請求項２４】
前記受信動作制御手段は、
前記第１の情報が、前記第１の無線リソース群を用いて前記ユニキャスト情報を送信しないことを示し、かつ前記無線基地局から前記ユニキャスト情報のみを受け取る場合又は前記マルチキャスト情報及び前記ユニキャスト情報を受け取る場合、前記第１の無線リソース群に設定され得る前記ユニキャスト情報の受信動作を行わない、請求項２３に記載の移動局。
【請求項２５】
前記受信動作制御手段は、
前記第１の情報が、前記第１の無線リソース群を用いて前記ユニキャスト情報を送信することを示し、かつ前記無線基地局から前記マルチキャスト情報及び前記ユニキャスト情報を受け取る場合、複数の前記第１の無線リソース群のうち前記マルチキャスト情報が送信される第１の無線リソース群における前記ユニキャスト情報の受信動作を行わない、請求項２３又は２４に記載の移動局。
【請求項２６】
請求項１３乃至２１のいずれか１項に記載の無線基地局と無線通信する移動局。
【請求項２７】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信する、データ送信方法。
【請求項２８】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御する、データ受信方法。
【請求項２９】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信する処理をコンピュータに実行させるプログラムが格納された非一時的なコンピュータ可読媒体。
【発明の詳細な説明】
【技術分野】
【０００１】
本発明はマルチキャスト情報及びユニキャスト情報を送信する移動通信システムに関し、特に移動局に対して、ユニキャスト情報を送信するために用いられる無線リソースを通知する技術に関する。
【背景技術】
【０００２】
データ送信の方法として、ユニキャスト情報を通信端末に送信する方法と、マルチキャスト／ブロードキャスト情報を通信端末に送信する方法とがある。ユニキャスト情報は、単一の通信端末に向けられる情報であり、マルチキャスト／ブロードキャスト情報は、複数の端末に対して同報もしくは放送される情報である。通信端末に対してデータ通信を提供する通信システムにおいては、ユニキャスト情報を通信端末に送信する方法と、マルチキャスト／ブロードキャスト情報を通信端末に送信する方法とを混在させるために、様々な技術が考案されている。【０００３】
特許文献１には、通信システムとして無線ＬＡＮシステムの構成が開示されている。無線ＬＡＮシステムは、アクセスポイント（ＡＰ）と、複数の無線局とにより構成される。無線局は、持続的活性モード又は省電力モードに設定され動作する。省電力モードに設定された無線局は、ＡＰからビーコンフレームが送信される周期に同期してパワーを増して、ビーコンフレームを受信する。無線局は、ビーコンフレームに含まれるトラフィック表示マップ（ＴＩＭ）要素内のビットマップ情報を分析することにより、自局に対するデータがＡＰ内にバッファリングされているか否かを認識することができる。さらに、無線局は、ビットマップ情報を用いることにより、自局宛てのデータが、ユニキャスト情報かマルチキャスト／ブロードキャスト情報かを識別することができる。【０００４】
このようにして、無線局は、ユニキャスト情報もしくはマルチキャスト／ブロードキャスト情報を受信することができる。また、無線局は、自局宛てのデータがない場合にはスリープ状態に遷移することにより、省電力化を図ることができる。【０００５】
さらに、３ＧＰＰ（3rd Generation Partnership Project）のＬＴＥ（Long Term Evolution）においても、ユニキャスト情報を通信端末に送信する方法と、マルチキャスト／ブロードキャスト情報を通信端末に送信する方法とを混在させるために次のような方法が用いられている。【０００６】
３ＧＰＰのＬＴＥでは、２種類のサブフレームが用いられている。２種類のサブフレームは、ユニキャスト情報（PDSCH）を送信するノーマルサブフレームとマルチキャスト情報（PMCH）（ブロードキャスト情報を含む）を送信するＭＢＳＦＮサブフレームとである。これら２種類のサブフレームは、基準信号の配置など物理層の仕様が異なる（非特許文献１）。サブフレームは、複数のタイムスロットにより構成される。これら２種類のサブフレームの配置は、ネットワークの運用者によってネットワークに対して設定され、基地局装置から全ての端末装置に対して報知されている（非特許文献２）。【０００７】
図１９に、3GPP Release8/9及びRelease10におけるサブフレームの利用方法について説明する。ＬＴＥ（3GPP Release8/9）では、ＭＢＳＦＮサブフレームにおいては、マルチキャスト情報（PMCH）が送信可能であり、ユニキャスト情報（PDSCH）を送信することができない。さらに、ＬＴＥ（3GPP Release9）では、ＭＢＳＦＮサブフレームにおいては、マルチキャスト情報以外に、Positioning Reference Signalを送信することができる。Positioning Reference Signalは、位置測定用に用いられる信号である。【０００８】
これに対して、ＬＴＥを進化させたＬＴＥ−Ａｄｖａｎｃｅｄ（3GPP Release10）において採用された送信モード９（TM9）では、ＭＢＳＦＮサブフレームのうちマルチキャスト情報の送信に使用されないサブフレームを用いて、ユニキャスト情報を送信することができるように仕様が拡張された（非特許文献３）。
【先行技術文献】
【特許文献】
【０００９】
【特許文献１】特表２０１１−５０１４８８号公報
【非特許文献】
【００１０】
【非特許文献１】3GPP TS36.211 v10.2.0 (2011-06)、"Evolved Universal Terrestrial Radio Access (E-UTRA); Physical Channels and Modulation (Release 10)"
【非特許文献２】3GPP TS36.331 v10.2.0 (2011-06)、"Evolved Universal Terrestrial Radio Access (E-UTRA); Radio Resource Control (RRC); Protocol specification (Release 10)"
【非特許文献３】3GPP TS36.213 v10.2.0 (2011-06)、"Evolved Universal Terrestrial Radio Access (E-UTRA); Physical layer procedures (Release 10)"
【発明の概要】
【発明が解決しようとする課題】
【００１１】
本願の発明者等は、ＬＴＥ−Ａｄｖａｎｃｅｄのネットワーク環境においてＴＭ９で動作する通信端末がデータを受信する際に、以下に述べる問題点があることを見出した。すなわち、ＴＭ９で動作する通信端末のうち、マルチキャスト情報を受信する通信端末は、ＭＢＳＦＮサブフレームのうち、実際にマルチキャスト情報の送信に使用されるＭＢＳＦＮサブフレームを認識することができる。つまり、マルチキャスト情報を受信する通信端末は、ユニキャスト情報に使用され得るＭＢＳＦＮサブフレームを知ることができる。そのため、通信端末は、ユニキャスト情報に使用され得るＭＢＳＦＮサブフレームでは、ユニキャスト情報の受信動作を行い、マルチキャスト情報に使用されることが分かっているＭＢＳＦＮサブフレームにおいては、ユニキャスト情報の受信動作を行う必要がない。【００１２】
これに対して、マルチキャスト情報を受信しない通信端末は、ＭＢＳＦＮサブフレームのうち、ユニキャスト情報の送信に使用されるＭＢＳＦＮサブフレームを認識することができない。そのため、マルチキャスト情報を受信しない通信端末は、ＭＢＳＦＮサブフレームが存在する場合には、実際にＭＢＳＦＮサブフレームがユニキャスト情報の送信に使用されるか否かにかかわらず、全てのＭＢＳＦＮサブフレームにおいて、ユニキャスト情報の受信動作を行う必要があり、消費電力の無駄遣いを避けることができないという問題がある。【００１３】
本発明はこのような問題を解決するために、マルチキャスト情報の送信用に割り当てられたサブフレームを用いてユニキャスト情報送信する際に、消費電力を削減することができる移動通信システム、無線基地局、移動局、データ送信方法、データ受信方法及びプログラムを提供することを目的としている。
【課題を解決するための手段】
【００１４】
本発明の第１の態様にかかる移動通信システムは、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ通知するように構成されている無線基地局と、前記無線基地局から受け取った前記第１の情報に基づいて、前記第１の無線リソース群の受信動作を制御するように構成されている移動局と、を備えるものである。【００１５】
本発明の第２の態様にかかる無線基地局は、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信するデータ送信部と、を備えるものである。【００１６】
本発明の第３の態様にかかる移動局は、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御する受信動作制御部、を備えるものである【００１７】
本発明の第４の態様にかかるデータ送信方法は、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信するものである。【００１８】
本発明の第５の態様にかかるデータ受信方法は、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御するものである。【００１９】
本発明の第６の態様にかかるプログラムは、マルチキャスト情報及びユニキャスト情報の送信に利用可能であって、複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信する処理をコンピュータに実行させるものである。
【発明の効果】
【００２０】
本発明により、マルチキャスト情報の送信用に割り当てられたサブフレームを用いてユニキャスト情報送信する際に、消費電力を削減することができる移動通信システム、無線基地局、移動局、データ送信方法、データ受信方法及びプログラムを提供することができる。
【図面の簡単な説明】
【００２１】
【図１】実施の形態１にかかる移動通信システムの構成図である。
【図２】実施の形態１にかかる基地局の構成図である。
【図３】実施の形態１にかかる無線リソースを説明した図である。
【図４】実施の形態１にかかるＬＴＥ−ＡｄｖａｎｃｅｄのＳＩＢ１３を説明した図である。
【図５】実施の形態１にかかる報知情報のビットマップを示した図である。
【図６】実施の形態１にかかる基地局の報知情報通知処理のフローチャートである。
【図７】実施の形態１にかかる移動局の構成図である。
【図８】実施の形態１にかかるＭＢＳＦＮサブフレームの受信動作を説明した図である。
【図９】実施の形態１にかかるＭＢＳＦＮサブフレームの受信動作を説明した図である。
【図１０】実施の形態１にかかる移動局のＭＢＳＦＮサブフレームの受信処理のフローチャートである。
【図１１】実施の形態１にかかる移動局のＭＢＳＦＮサブフレームの受信処理のフローチャートである。
【図１２】実施の形態２にかかる基地局の構成図である。
【図１３】実施の形態２にかかるRRCConnectionSetupメッセージを説明した図である。
【図１４】実施の形態３にかかる基地局の構成図である。
【図１５】実施の形態３ＭＡＣ制御情報のビットマップを示した図である。
【図１６】実施の形態４にかかるＭＢＳＦＮサブフレームに対応したビットマップを示した図である。
【図１７】実施の形態４にかかるＭＢＳＦＮサブフレームの周期とビットマップの対応付けを示した図である。
【図１８】実施の形態４にかかるＭＢＳＦＮサブフレームの周期とビットマップの対応付けを示した図である。
【図１９】３ＧＰＰにおいて規定されているサブフレームの利用方法を示した図である。
【発明を実施するための形態】
【００２２】
（実施の形態１）
以下、図面を参照して本発明の実施の形態について説明する。図１を用いて本発明の実施の形態１にかかる移動通信システムの構成例について説明する。移動通信システムは、基地局１０と、移動局２０、３０及び４０と、を備えている。また、移動局２０、３０及び４０は、基地局１０が構成するセル５０内に在圏している。本図において、基地局１０から移動局２０、３０及び４０に対する破線は、ユニキャスト情報の送信を示している。また、基地局１０から移動局３０及び４０に対する実線は、マルチキャスト情報の送信を示している。移動局２０は、マルチキャスト情報を受信せず、ユニキャスト情報のみ受信する。移動局３０及び４０は、マルチキャスト情報及びユニキャスト情報を受信する。
【００２３】
基地局１０は、マルチキャスト情報及びユニキャスト情報送信に利用可能であって複数の無線リソースを含むマルチキャスト用無線リソース群と、マルチキャスト用無線リソース群以外の無線リソース群とのうち、マルチキャスト用無線リソース群を用いて、ユニキャスト情報を送信するか否かに関する情報を、移動局２０、３０及び４０に対して通知するように構成されている。
【００２４】
また、移動局２０、３０及び４０は、基地局１０から受け取った、マルチキャスト用無線リソース群を用いてユニキャスト情報を送信するか否かに関する情報に基づいて、マルチキャスト用無線リソース群の受信動作を制御するように構成されている。
【００２５】
以上説明したように、図１にかかる移動通信システムを用いることにより、基地局１０は、マルチキャスト用無線リソース群を用いて、ユニキャスト情報を送信するか否かに関する情報を、移動局２０、３０及び４０に対して送信することができる。これにより、移動局２０、３０及び４０は、マルチキャスト用無線リソース群の受信動作を制御することができるようになるため、例えば、マルチキャスト用無線リソース群を用いて、ユニキャスト情報を送信するか否かに関する情報に基づいて、省電力動作を行うことができる。
【００２６】
続いて、図２を用いて本発明の実施の形態１にかかる基地局１０の構成例について説明する。基地局１０は、ユニキャスト割当制御部１１と、報知情報生成部１２と、データ送信部１３と、スケジューリング部１４と、を備えている。また本図においては、無線リソース群の例として主にサブフレームを用い、基地局１０のそれぞれの構成要素について説明する。以下に、図３を用いて、ＬＴＥ−Ａｄｖａｎｃｅｄと互換性を有するＬＴＥにおいて用いられるフレーム構成について説明する。
【００２７】
基地局とそれぞれの移動局との間のダウンリンク送信およびアップリンク送信は、１０ｍｓの無線フレーム（Radio frame）を単位として行われる。図３は、ＬＴＥのＦＤＤ（Frequency Division Duplex）の無線フレーム構図を示す図である。１つの無線フレームは、１０個のサブフレーム（＃０〜＃９）からなる。各サブフレームは、２つのスロット（又はタイムスロット）からなる。１スロット長は、０．５ｍｓである。各スロットは、時間ドメインにおいて複数（NSYMB個）のＯＦＤＭシンボルを含む。時間ドメインにおける１ＯＦＤＭシンボル、及び周波数ドメインにおける１サブキャリアによって規定される無線リソースは、「リソースエレメント」と呼ばれる。リソースエレメントは、ＯＤＦＭ（Orthogonal Frequency Division Multiplexing）を採用するＬＴＥ／Ｅ−ＵＴＲＡＮのダウンリンクにおける無線リソースの最小割り当て単位である。また、時間ドメインにおける連続するNSYMB個のＯＦＤＭシンボル（１スロット分）と、周波数ドメインにおける連続するNSC個のＯＦＤＭサブキャリアによって規定されるリソース単位は、「リソースブロック」と呼ばれる。特殊なマルチパス環境に対応する場合を除いて通常使用されるサイクリック・プリフィックスの場合、ＬＴＥのダウンリンクにおけるNSYMBの値は７であり、NSCの値は１２である。
【００２８】
無線リソースとは、リソースエレメントや、リソースブロック等である。無線リソース群とは、複数のリソースブロックの集合や、複数のスロット（タイムスロット）により構成されるサブフレーム等である。
【００２９】
図１９において示したように、ユニキャスト情報とマルチキャスト情報とは、サブフレーム単位に割り当てられる。マルチキャスト情報及びユニキャスト情報の送信に利用可能なサブフレームをＭＢＳＦＮサブフレームとし、ユニキャスト情報の送信に利用可能なサブフレームをノーマルサブフレームとする。ただし、ノーマルサブフレームは、ユニキャスト情報の送信に利用可能なサブフレームに限定されるものではなく、例えばマルチキャスト情報以外の情報を送信するために用いられるサブフレームであってもよい。
【００３０】
図２に戻り、ユニキャスト割当制御部１１は、ＭＢＳＦＮサブフレームにユニキャスト情報を割り当てるか否かを決定する。ユニキャスト割当制御部１１は、ＭＢＳＦＮサブフレームにユニキャスト情報を割り当てるか否かに関して、決定した情報を報知情報生成部１２へ出力する。
【００３１】
報知情報生成部１２は、セル５０内の複数の移動局（移動局２０、３０及び４０）に通知する報知情報に、ＭＢＳＦＮサブフレームにユニキャスト情報を割り当てるか否かを示す１ｂｉｔの情報要素を追加する。１ｂｉｔの情報要素として、例えばＴＲＵＥが設定された場合には、ＭＢＳＦＮサブフレームにユニキャスト情報が割り当てられることを示す。さらに、ＦＡＬＳＥが設定された場合には、ＭＢＳＦＮサブフレームにユニキャスト情報が割り当てられないことを示す。例えば、ＬＴＥ  ＡｄｖａｎｃｅｄのＳＩＢ−１３（SystemINformationBlockType13）にＭＢＳＦＮサブフレームにユニキャスト情報を割り当てるか否かを示す１ｂｉｔの情報要素を追加した場合の例を図４に示す。本図に示すように、lateNonCriticalExtensionに、１ｂｉｔの情報要素を追加してもよい。
【００３２】
また、図５を用いて、送信モード毎に情報要素を設定する場合に用いられる報知情報のビットマップの例を示す。本図におけるビットマップは、８ｂｉｔの長さを有するｂｉｔ列を示している。ｂｉｔ列の長さは、８ｂｉｔに制限されるものではなく、例えば、８ｂｉｔの整数倍の長さでもよい。ビット列のＭＳＢは、最上位ビットを示し、ＬＳＢは最下位ビットを示している。本図においては、ＬＳＢが送信モード９（ＴＭ９）に対応する例を示している。そのため、ＭＢＳＦＮサブフレームにユニキャスト情報を割り当てるか否かを示す１ｂｉｔの情報要素は、ＬＳＢに設定される。
【００３３】
図２に戻り、データ送信部１３は、報知情報生成部１２において生成された報知情報をセル内の移動局２０、３０及び４０に対して無線送信する。スケジューリング部１４は、報知情報が移動局２０、３０及び４０に対して送信されると、もしくは、ＭＢＳＦＮサブフレームにユニキャスト情報を割り当てるか否かが決定されると、それぞれの移動局に対してデータを送信するために、無線リソースのスケジューリングを行う。例えば、スケジューリング部１４は、リソースブロック単位に、移動局２０、３０及び４０に対して割り当てる無線リソースを決定する。
【００３４】
また、スケジューリング部１４は、ユニキャスト割当制御部１１において、ＭＢＳＦＮサブフレームにユニキャスト情報を割り当てることが決定された場合、ＭＢＳＦＮサブフレームに含まれる複数のリソースブロックを、移動局２０、３０及び４０の少なくとも１つの移動局に割り当て、ユニキャスト情報を送信する。スケジューリング部１４は、ユニキャスト割当制御部１１において、ＭＢＳＦＮサブフレームにユニキャスト情報を割り当てないことを決定した場合、移動局３０及び４０の少なくとも１つの移動局に対して、マルチキャスト情報を送信するためにＭＢＳＦＮサブフレームの割り当てを行う。
【００３５】
データ送信部１３は、スケジューリング部１４によって決定された無線リソースの割り当て情報及び送信データ（マルチキャスト情報もしくはユニキャスト情報を含む）を、移動局２０、３０及び４０に対して無線送信する。
【００３６】
続いて、図６を用いて本発明の実施の形態１にかかる基地局１０の報知情報通知処理の流れについて説明する。はじめに、ユニキャスト割当制御部１１は、ＭＢＳＦＮサブフレームにユニキャスト情報を割り当てるか否かを決定する（Ｓ１１）。ステップＳ１１において、ユニキャスト割当制御部１１によって、ＭＢＳＦＮサブフレームにユニキャスト情報を割り当てると決定された場合に、報知情報生成部１２は、ＴＭ９の情報要素にＴＲＵＥを設定し（Ｓ１２）、報知情報を生成する（Ｓ１４）。
【００３７】
ステップＳ１１において、ユニキャスト割当制御部１１によって、ＭＢＳＦＮサブフレームにユニキャスト情報を割り当てないと決定された場合に、報知情報生成部１２は、ＴＭ９の情報要素にＦＡＬＳＥを設定し（Ｓ１２）、報知情報を生成する（Ｓ１４）。
【００３８】
次に、データ送信部１３は、報知情報生成部１２において生成された報知情報をセル内に在圏する移動局である、移動局２０、３０及び４０に対して送信する。
【００３９】
ここで、図２及び図６の説明において、基地局１０に備えられるユニキャスト割当制御部１１において、ＭＢＳＦＮサブフレームにユニキャスト情報を割り当てるか否かを決定する例について説明したが、ユニキャスト割当制御部１１は、基地局１０以外の装置に備えられてもよい。つまり、基地局１０は、基地局１０以外の装置においてＭＢＳＦＮサブフレームにユニキャスト情報を割り当てるか否かが決定された場合に、基地局１０以外の装置において決定された情報を用いて報知情報を生成してもよい。
【００４０】
続いて、図７を用いて本発明の実施の形態１にかかる移動局２０の構成例について説明する。移動局３０及び４０も移動局２０と同様の構成となるため、移動局３０及び移動局４０の構成例については、説明を省略する。
【００４１】
移動局２０は、データ通信部２１と、受信動作制御部２２とを備えている。データ通信部２１は、基地局１０と無線通信を行う。例えば、データ通信部２１は、基地局１０から、報知情報及び無線リソースの割り当て情報等を受け取る。データ通信部２１は、受信した情報を受信動作制御部２２へ出力する。
【００４２】
受信動作制御部２２は、基地局１０から送信された報知情報を受け取ると、ＴＭ９の設定情報として、ＴＲＵＥが設定されているか、ＦＡＬＳＥが設定されているかを識別する。受信動作制御部２２は、ＴＲＵＥが設定されていることを確認した場合、基地局１０から送信されるＭＢＳＦＮサブフレームに、自局宛てのユニキャスト情報が送信される可能性があると推定する。そのため、受信動作制御部２２は、基地局１０から送信されるＭＢＳＦＮサブフレームについて、ユニキャスト情報を受信するための受信動作を行う。
【００４３】
受信動作制御部２２は、ＦＡＬＳＥが設定されていることを確認した場合、基地局１０から送信されるＭＢＳＦＮサブフレームに、自局宛てのユニキャスト情報が送信されることはないと推定する。そのため、受信動作制御部２２は、基地局１０から送信されるＭＢＳＦＮサブフレームにおいて、ユニキャスト情報を受信するための受信動作を行わない。
【００４４】
続いて、図８を用いて、本発明の実施の形態１にかかる、ユニキャスト情報のみ受信する移動局２０と、ユニキャスト情報及びマルチキャスト情報を受信する移動局３０、４０とにおけるＭＢＳＦＮサブフレームの受信動作について説明する。
【００４５】
本図は、報知情報のＴＭ９の設定情報としてＴＲＵＥが設定されている場合における、ＭＢＳＦＮサブフレームの受信動作を示している。マルチキャスト情報を受信せず、ユニキャスト情報のみを受信する移動局２０は、ＭＢＳＦＮサブフレーム＃０乃至＃２におけるユニキャスト情報の受信動作を行う。これは、報知情報のＴＭ９の設定情報としてＴＲＵＥが設定されており、ＭＢＳＦＮサブフレームに、自局宛てのユニキャスト情報が設定されている可能性があるからである。
【００４６】
ユニキャスト情報及びマルチキャスト情報を受信する移動局３０、４０は、マルチキャスト情報を受信するため、ＭＢＳＦＮサブフレーム＃０乃至＃２のうち、マルチキャスト情報が送信されるＭＢＳＦＮサブフレームを基地局１０から通知される。例えば、本図においては、ＭＢＳＦＮサブフレーム＃０を用いてマルチキャスト情報が送信されるとする。この場合、ユニキャスト情報及びマルチキャスト情報を受信する移動局３０、４０は、ＭＢＳＦＮサブフレーム＃０においては、ユニキャスト情報の受信動作を行わず、ＭＢＳＦＮサブフレーム＃１及び２において、ユニキャスト情報の受信動作を行う。また、ユニキャスト情報及びマルチキャスト情報を受信する移動局３０、４０は、ＭＢＳＦＮサブフレーム＃０において、マルチキャスト情報の受信動作を行い、ＭＢＳＦＮサブフレーム＃１及び２においては、マルチキャスト情報の受信動作を行わない。
【００４７】
続いて、図９を用いて、報知情報のＴＭ９の設定情報としてＦＡＬＳＥが設定されている場合における、ＭＢＳＦＮサブフレームの受信動作を示している。本図においても、図８と同様にＭＢＳＦＮサブフレーム＃０を用いてマルチキャスト情報が送信されるとする。この場合、ユニキャスト情報のみを受信する移動局２０、並びに、ユニキャスト情報及びマルチキャスト情報を受信する移動局３０、４０は、ＭＢＳＦＮサブフレーム＃０乃至＃２において、ユニキャスト情報の受信動作を行わない。また、ユニキャスト情報及びマルチキャスト情報を受信する移動局３０、４０は、ＭＢＳＦＮサブフレーム＃０において、マルチキャスト情報の受信動作を行う。
【００４８】
続いて、図１０を用いて本発明の実施の形態１にかかる移動局における、ＭＢＳＦＮサブフレームの受信動作の処理の流れについて説明する。また、本図は、ユニキャスト情報のみを受信する移動局の受信動作について説明する。
【００４９】
はじめに、データ通信部２１は、基地局１０から報知情報を受信する（Ｓ２１）。次に、受信動作制御部２２は、報知情報のＴＭ９の設定情報としてＴＲＵＥが設定されているか否かを判定する（Ｓ２２）。受信動作制御部２２は、ＴＲＵＥが設定されていると判定した場合、ＭＢＳＦＮサブフレームにおけるユニキャスト情報の受信動作を実行する（Ｓ２３）。受信動作制御部２２は、ＴＲＵＥが設定されていない、つまり、ＦＡＬＳＥが設定されていると判定した場合、ＭＢＳＦＮサブフレームにおけるユニキャスト情報の受信動作を実行しない（Ｓ２４）。
【００５０】
続いて、図１１を用いて本発明の実施の形態１にかかる、ユニキャスト情報及びマルチキャスト情報を受信する移動局における、ＭＢＳＦＮサブフレームの受信動作の処理の流れについて説明する。
【００５１】
はじめに、データ通信部２１は、基地局１０から報知情報を受信する（Ｓ３１）。次に、受信動作制御部２２は、報知情報のＴＭ９の設定情報としてＴＲＵＥが設定されているか否かを判定する（Ｓ３２）。受信動作制御部２２は、ＴＲＵＥが設定されていると判定した場合、マルチキャスト情報が設定されるＭＢＳＦＮサブフレームを確認する（Ｓ３３）。例えば、図８及び図９と同様に、受信動作制御部２２は、ＭＢＳＦＮサブフレーム＃０を用いて、マルチキャスト情報が送信されることを確認する。
【００５２】
次に、受信動作制御部２２は、マルチキャスト情報が送信されるＭＢＳＦＮサブフレーム以外のＭＢＳＦＮサブフレームにおけるユニキャスト情報の受信動作を行う（Ｓ３４）。具体的には、図８及び図９の例においては、受信動作制御部２２は、ＭＢＳＦＮサブフレーム＃１及び＃２におけるユニキャスト情報の受信動作を行う。ステップＳ３２において、受信動作制御部２２は、ＴＲＵＥが設定されていない、つまりＦＡＬＳＥが設定されていると判定した場合、ＭＢＳＦＮサブフレーム＃０乃至＃２におけるユニキャスト情報の受信動作を実行しない。
【００５３】
以上説明したように、本発明の実施の形態１における移動通信システムを用いることにより、基地局１０は、管理するセルに在圏している複数の移動局に対して、報知情報を用いて、ＭＢＳＦＮサブフレームにユニキャスト情報を設定するか否かに関する情報を通知することができる。これにより、ＭＢＳＦＮサブフレームにユニキャスト情報を設定しないとの情報が通知された場合、基地局１０の管理するセルに在圏している複数の移動局は、ＭＢＳＦＮサブフレームにおけるユニキャスト情報の受信動作を行う必要がなくなる。これにより、移動局における消費電力を減少させることができる。
【００５４】
（実施の形態２）
続いて、図１２を用いて本発明の実施の形態２にかかる基地局６０の構成例について説明する。基地局６０は、ユニキャスト割当制御部６１と、ＲＲＣメッセージ生成部６２と、データ送信部６３と、スケジューリング部６４と、を備えている。ユニキャスト割当制御部６１と、データ送信部６３と、スケジューリング部６４とは、図２の基地局１０における、ユニキャスト割当制御部１１と、データ送信部１３と、スケジューリング部１４と同一の構成であるため、詳細な説明を省略する。
【００５５】
ＲＲＣメッセージ生成部６２は、移動局に対して、送信モードの設定を行うメッセージを生成する。送信モードの設定を行うメッセージとは、例えば、３ＧＰＰにおけるRRCConnectionSetupメッセージである。RRCConnectionSetupメッセージは、移動局の送信モードを変更するとき等に用いられる。RRCConnectionSetupメッセージは、基地局６０の管理するセルに在圏する複数の移動局に対して、個別に通知される。ＲＲＣメッセージ生成部６２は、RRCConnectionSetupメッセージに、ＴＭ９の設定情報として、ＴＲＵＥ又はＦＡＬＳＥの情報要素を追加する。具体的には、図１３の下線に示されるように、情報要素を追加する。本図は、ＬＴＥ  Ｒｅｌｅａｓｅ−＜ｘ＞のRRCConnectionSetupメッセージに情報要素を追加する例について示している。＜ｘ＞は、１０以上の値が設定される。ここで、Ｃｏｎｄ  ＴＭＹは、送信モード９（ＴＭ９）、又はそれ以降に制定されたマルチキャスト用のサブフレームでユニキャスト情報送信をサポートする送信モードが設定された場合に、情報要素が存在することを示している。
【００５６】
基地局６０は、図６のステップＳ１４において生成する情報を、RRCConnectionSetupメッセージとし、ステップＳ１５において通知する情報をRRCConnectionSetupメッセージとする処理を実行する。ステップＳ１１乃至Ｓ１３は、基地局６０においても同様に実行される。
【００５７】
また、移動局は、図１０のステップＳ２１及び図１１のステップＳ３１において、受信する情報をRRCConnectionSetupメッセージとする処理を実行する。ステップＳ２２乃至Ｓ２４と、ステップＳ３２乃至Ｓ３５とは、本発明の実施の形態２における移動局においても同様に実行される。
【００５８】
以上説明したように、本発明の実施の形態２にかかる移動通信システムを用いることにより、基地局６０は、管理するセルに在圏している複数の移動局に対して、個別にRRCConnectionSetupメッセージを用いて、ＭＢＳＦＮサブフレームにユニキャスト情報を設定するか否かに関する情報を通知することができる。これにより、ＭＢＳＦＮサブフレームにユニキャスト情報を設定しないとの情報が通知された場合、通知を受けた移動局は、ＭＢＳＦＮサブフレームにおけるユニキャスト情報の受信動作を行う必要がなくなる。これにより、移動局における消費電力を減少させることができる。
【００５９】
また、RRCConnectionSetupメッセージは、セルに在圏している移動局毎に個別に通知される。そのため、報知情報を用いてＭＢＳＦＮサブフレームにユニキャスト情報を設定するか否かに関する情報を通知する場合と比べて、複数の移動局を個別に制御することができるため、無線リソースの有効活用を実現することができる。
【００６０】
（実施の形態３）
続いて、図１４を用いて本発明の実施の形態３にかかる基地局７０の構成例について説明する。基地局７０は、ユニキャスト割当制御部７１と、ＭＡＣ制御情報生成部７２と、データ送信部７３と、スケジューリング部７４と、を備えている。ユニキャスト割当制御部７１と、データ送信部７３と、スケジューリング部７４とは、図２の基地局１０における、ユニキャスト割当制御部１１と、データ送信部１３と、スケジューリング部１４と同一の構成であるため、詳細な説明を省略する。
【００６１】
ＭＡＣ制御情報生成部７２は、移動局に対して、ＭＡＣ（Media Access Control）レイヤを用いて通信されるＭＡＣ制御情報（MAC control element）を生成する。ＭＡＣ制御情報は、移動局に対して送信される送信データに多重され、移動局へ送信される。
【００６２】
ＭＡＣ制御情報生成部７２は、例えば、３ＧＰＰ  ＬＴＥにおいて、ＤＬ  ＳＣＨのＬＣＩＤ（Logical Cnannel ID）のＩｎｄｅｘ値１１０１０（２進数）を用いて、ＭＢＳＦＮサブフレームにおいてユニキャスト情報を送信するか否かに関する情報を設定する。具体的には、図１５に示すように、ペイロードのＬＳＢに、ＴＭ９の設定情報として、ＴＲＵＥ又はＦＡＬＳＥの情報要素を追加してもよい。もしくは、ＬＳＢ以外のビットに、ＴＭ９の設定情報として、ＴＲＵＥ又はＦＡＬＳＥの情報要素が追加されてもよい。
【００６３】
基地局７０は、図６のステップＳ１４において生成する情報を、ＭＡＣ制御情報とし、ステップＳ１５において通知する情報をＭＡＣ制御情報とする処理を実行する。ステップＳ１１乃至Ｓ１３は、基地局７０においても同様に実行される。
【００６４】
また、移動局は、図１０のステップＳ２１及び図１１のステップＳ３１において、受信する情報をＭＡＣ制御情報とする処理を実行する。ステップＳ２２乃至Ｓ２４と、ステップＳ３２乃至Ｓ３５とは、本発明の実施の形態３における移動局においても同様に実行される。
【００６５】
図１５に示すように、基地局７０は、ＭＡＣ制御情報のペイロードに情報要素を追加し、移動局に対してＭＡＣ制御情報を移動局へ送信する場合、実施の形態１及び２よりも、移動局の動的な制御が可能となる。具体的には、基地局７０において、移動局に対してＭＢＳＦＮサブフレームに、ユニキャスト情報を割り当てることを決めた場合、情報要素にＴＲＵＥを設定して、移動局に対してＭＡＣ制御情報を送信する。その後、基地局７０は、ＭＢＳＦＮサブフレームへ、ユニキャスト情報の割り当てを開始する。さらに、ＭＢＳＦＮサブフレームへユニキャスト情報を割り当てることを取りやめる場合には、情報要素にＦＡＬＳＥを設定して、移動局に対してＭＡＣ制御情報を送信する。このようにして、ＭＡＣ制御情報を用いる場合、移動局に対して、ＭＢＳＦＮサブフレームを用いて送信するユニキャスト情報の存在有無に応じて、情報要素の設定値を変更することができる。そのため、移動局の動的な制御が可能となる。
【００６６】
また、ＭＡＣ制御情報生成部７２は、情報要素の設定値をＴＲＵＥからＦＡＬＳＥへ変更すること又はＦＡＬＳＥからＴＲＵＥへ変更することについては、タイマを用いて自動的に制御してもよい。
【００６７】
また、ＭＡＣ制御情報は、ユニキャスト情報のデータ送信に多重されて基地局７０から移動局に対して通知される。そのため、基地局７０は、情報要素をＦＡＬＳＥからＴＲＵＥへ変更することを移動局へ通知する場合、ＭＡＣ制御情報をノーマルフレームで送信されるデータに多重する必要がある。
【００６８】
さらに、デフォルト値として、情報要素にＴＲＵＥ又はＦＡＬＳＥを予め規定することによって、通知を行わない場合の移動局の動作を予め決定しておくこともできる。
【００６９】
ここで、実施の形態３においては、ＭＡＣ制御情報のペイロードに情報要素を追加する場合について説明したが、ノーマルフレームにおける送信データのリソース割り当てメッセージに、情報要素を追加して移動局へ通知してもよい。リソース割り当てメッセージは、３ＧＰＰのＬＴＥにおいては、例えばＤＣＩ  ｆｏｒｍａｔが用いられる。例えば、ＤＣＩ  ｆｏｒｍａｔにおいて、送信モード９（ＴＭ９）に対応するメッセージは、ＤＣＩ  ｆｏｒｍａｔ２Ｃに設定されるが、これに情報要素を１ｂｉｔ追加してもよい。送信データのリソース割り当てメッセージに情報要素を追加することにより、ＭＡＣ制御情報に情報要素を追加する場合と比較して、より移動局の動的な制御を行うことができる。これは、送信データのリソース割り当てメッセージが移動局へ送信される頻度は、ＭＡＣ制御情報が送信データに多重されて移動局へ送信される頻度よりも多いためである。
【００７０】
（実施の形態４）
続いて、ユニキャスト情報が割り当てられるＭＢＳＦＮサブフレームを、ビットマップを用いて明示的に基地局から移動局に対して通知する例について説明する。図１６に示しているペイロードの各ｂｉｔは、ＭＢＳＦＮサブフレームに対応している。本図においては、２４ｂｉｔのペイロードに、２４個分のサブフレーム分の情報要素を割り当て、移動局に対して通知する。ここで、本図に示したビットマップは、報知情報、送信モードの設定メッセージ、ＭＡＣ制御情報等に追加されて、移動局へ通知されてもよい。
【００７１】
基地局は、各ｂｉｔに対して、実施の形態１乃至３と同様に、ＴＲＵＥ又はＦＡＬＳＥを設定する。ＴＲＵＥが設定されたｂｉｔに対応するＭＢＳＦＮサブフレームは、ユニキャスト情報の送信の割り当てに使用される。もしくは、ＴＲＵＥが設定されたｂｉｔに対応するＭＢＳＦＮサブフレームは、ユニキャスト情報の送信の割り当てに使用される可能性があることを示す。
【００７２】
ＦＡＬＳＥが設定されたｂｉｔに対応するＭＢＳＦＮサブフレームは、ユニキャスト情報の送信が行われない。移動局は、ＦＡＬＳＥに設定されたＭＢＳＦＮサブフレームにおいてユニキャスト情報の受信動作を行わないことにより、無駄な消費電力を抑えることができる。このビットマップは、周期的に移動局に対して適用されてもよい。その周期は、ＭＢＳＦＮサブフレームの周期と同一、倍数、又は約数としても良い。
【００７３】
続いて、図１７を用いて、本発明の実施の形態４にかかるＭＢＳＦＮサブフレームの周期とビットマップの対応付けの例について説明する。本図においては、ＭＢＳＦＮサブフレームが１０サブフレーム周期で、４サブフレーム分（サブフレーム＃２、＃４、＃７、＃８）割り当てられている。ビットマップは、２ｂｉｔであり、１０サブフレーム周期中に、１ｂｉｔにつき２回適用される例を示している。サブフレーム＃２及び＃７は、ビットマップのＬＳＢに対応する。ビットマップのＬＳＢは０（ＦＡＬＳＥ）であるため、ＭＢＳＦＮサブフレーム＃２及び＃７には、ユニキャスト情報は割り当てられない。サブフレーム＃４及び＃８は、ビットマップのＭＳＢに対応する。ビットマップのＭＳＢは１（ＴＲＵＥ）であるため、ＭＢＳＦＮサブフレームであるサブフレーム＃４及び＃８には、ユニキャスト情報が割り当てられる、もしくは、ユニキャスト情報が割り当てられる可能性がある。
【００７４】
続いて、図１８を用いて、本発明の実施の形態４にかかるＭＢＳＦＮサブフレームの周期とビットマップの対応付けの他の例について説明する。本図においては、１０サブフレーム中、ＭＢＳＦＮサブフレームとして用いられるサブフレームを、サブフレーム＃２、＃３、＃４、＃７、＃８、＃９としている。これに伴い、ビットマップのサイズを６ｂｉｔとしている。このようにして、ビットマップのペイロードサイズを、ＭＢＳＦＮサブフレームの数に応じて決定してもよい。つまり、ビットマップのそれぞれの値と、ＭＢＳＦＮサブフレームとを１対１に対応するようにしてもよい。
【００７５】
また、ビットマップをＭＡＣ制御情報にて通知する場合等、より動的に通知することが可能な場合には、通知されたビットマップを周期的に適用せず、１回のみ適用してもよい。１回適用し終わった後は、基地局から移動局に対してビットマップを再度通知するか、又は、デフォルト値を適用する等してもよい。
【００７６】
また、実施の形態４において説明したビットマップによる制御と、実施の形態１乃至３のいずれかとを組み合わせることも可能である。たとえば、基地局から移動局に対して通知される１ｂｉｔの情報要素がＴＲＵＥに設定された場合に、ビットマップが有効になり、１ｂｉｔの情報要素がＦＡＬＳＥに設定された場合に、ビットマップによらず、１ビットの情報要素が通知された移動局に対して、全てのＭＢＳＦＮサブフレームにおいてユニキャスト情報が送信されないようにしてもよい。もしくは、１ｂｉｔの情報要素が、デフォルト値を設定するとしてもよい。
【００７７】
上述の実施の形態では、本発明をハードウェアの構成として説明したが、本発明は、これに限定されるものではない。本発明は、基地局１０、６０及び７０における図６のステップＳ１４に記載の処理を、ＣＰＵ（Central Processing Unit）にコンピュータプログラムを実行させることにより実現することも可能である。）
【００７８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７９】
なお、本発明は上記実施の形態に限られたものではなく、趣旨を逸脱しない範囲で適宜変更することが可能である。例えば、上述した実施の形態においては、サブフレーム単位にマルチキャスト情報を送信するかユニキャスト情報を送信するかを決定する例について説明している。これに対して、マルチキャスト情報を送信するか、ユニキャスト情報を送信するかを、例えば、同一のタイムスロットを有するサブキャリア単位に決定してもよい。さらに、上述した実施の形態においては、ＴＭ９を用いる例について説明しているが、本発明は、ＴＭ８や、今後新たに追加されるＴＭについても適用することができる。
【００８０】
以上、実施の形態を参照して本願発明を説明したが、本願発明は上記によって限定されるものではない。本願発明の構成や詳細には、発明のスコープ内で当業者が理解し得る様々な変更をすることができる。
【００８１】
この出願は、２０１１年７月２５日に出願された日本出願特願２０１１−１６２３３２を基礎とする優先権を主張し、その開示の全てをここに取り込む。
【符号の説明】
【００８２】
１０  基地局
１１  ユニキャスト割当制御部
１２  報知情報生成部
１３  データ送信部
１４  スケジューリング部
２０  移動局
２１  データ通信部
２２  受信動作制御部
３０  移動局
４０  移動局
５０  セル
６０  基地局
６１  ユニキャスト割当制御部
６２  ＲＲＣメッセージ生成部
６３  データ送信部
６４  スケジューリング部
７０  基地局
７１  ユニキャスト割当制御部
７２  ＭＡＣ制御情報生成部
７３  データ送信部
７４  スケジューリング部
【図１】
2013014856.tif 000003
【図２】
2013014856.tif 000004
【図３】
2013014856.tif 000005
【図４】
2013014856.tif 000006
【図５】
2013014856.tif 000007
【図６】
2013014856.tif 000008
【図７】
2013014856.tif 000009
【図８】
2013014856.tif 000010
【図９】
2013014856.tif 000011
【図１０】
2013014856.tif 000012
【図１１】
2013014856.tif 000013
【図１２】
2013014856.tif 000014
【図１３】
2013014856.tif 000015
【図１４】
2013014856.tif 000016
【図１５】
2013014856.tif 000017
【図１６】
2013014856.tif 000018
【図１７】
2013014856.tif 000019
【図１８】
2013014856.tif 000020
【図１９】
2013014856.tif 000021
【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ通知するように構成されている無線基地局と、
前記無線基地局から受け取った前記第１の情報に基づいて、前記第１の無線リソース群の受信動作を制御するように構成されている移動局と、を備える移動通信システム。
【請求項２】
前記無線基地局は、
前記第１の無線リソース群を用いて前記ユニキャスト情報を送信するか否かが決定された後に、複数の移動局に対して前記第１の無線リソース群及び前記第２の無線リソース群に含まれる無線リソースを割り当てるように構成されている、請求項１に記載の移動通信システム。
【請求項３】
前記無線基地局は、
前記第１の情報をセルに在圏する複数の移動機に対して一斉に通知するメッセージに設定するように構成されている、請求項１又は２に記載の移動通信システム。
【請求項４】
前記セルに在圏する複数の移動機に対して一斉に通知するメッセージは、
System Information Blockである、請求項３に記載の移動通信システム。
【請求項５】
前記無線基地局は、
前記第１の情報をセルに在圏する複数の移動機に対して個別に通知するメッセージに設定するように構成されている請求項１又は２に記載の移動通信システム。
【請求項６】
前記セルに在圏する複数の移動機に対して個別に通知するメッセージは、
RRCConectionSetupメッセージ、MAC control element、又は、DCI formatである、請求項５に記載の移動通信システム。
【請求項７】
前記第２の無線リソース群は、
前記マルチキャスト情報の送信には利用されない、請求項１乃至６のいずれか１項に記載の移動通信システム。
【請求項８】
前記第１及び第２の無線リソース群は、
複数のタイムスロットにより構成されるフレームである、請求項１乃至７のいずれか１項に記載の移動通信システム。
【請求項９】
前記第１の無線リソース群は、マルチキャスト情報及びユニキャスト情報の送信に利用可能なＭＢＳＦＮサブフレームであり、前記第２の無線リソースは、ユニキャスト情報のみの送信に利用可能なノーマルサブフレームである、請求項８に記載の移動通信システム。
【請求項１０】
前記移動局は、
前記第１の情報が、前記第１の無線リソース群を用いて前記ユニキャスト情報を送信することを示す場合、前記第１の無線リソース群に設定され得る前記ユニキャスト情報の受信動作を行うように構成され、
前記第１の情報が、前記第１の無線リソース群を用いて前記ユニキャスト情報を送信しないことを示す場合、前記第１の無線リソース群に設定され得る前記ユニキャスト情報の受信動作を行わないように構成されている、請求項１乃至９のいずれか１項に記載の移動通信システム。
【請求項１１】
前記移動局が、前記無線基地局から前記ユニキャスト情報のみを受け取る第１の移動局、又は前記マルチキャスト情報及び前記ユニキャスト情報を受け取る第２の移動局であって、前記第１の情報が、前記第１の無線リソース群を用いて前記ユニキャスト情報を送信しないことを示す場合、前記第１及び第２の移動局は、前記第１の無線リソース群に設定され得る前記ユニキャスト情報の受信動作を行わないように構成されている、請求項１０に記載の移動通信システム。
【請求項１２】
前記移動局が、前記第２の移動局であって、前記第１の情報が、前記第１の無線リソース群を用いて前記ユニキャスト情報を送信することを示す場合、前記第２の移動局は、複数の前記第１の無線リソース群のうち前記マルチキャスト情報が送信される第１の無線リソースにおける前記ユニキャスト情報の受信動作を行わないように構成されている、請求項１０又は１１に記載の移動通信システム。
【請求項１３】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信するデータ送信手段と、を備える無線基地局。
【請求項１４】
前記第１の無線リソース群を用いて前記ユニキャスト情報を送信するか否かが決定された後に、複数の移動局に対して前記第１の無線リソース群及び前記第２の無線リソース群に含まれる無線リソースを割り当てるスケジューリング手段をさらに備える、請求項１３に記載の無線基地局。
【請求項１５】
前記データ送信手段は、
前記第１の情報を、セルに在圏する複数の移動機に対して一斉に通知するメッセージに設定して前記移動局へ通知する、請求項１３又は１４に記載の無線基地局。
【請求項１６】
前記セルに在圏する複数の移動機に対して一斉に通知するメッセージは、
System Information Blockである、請求項１５に記載の無線基地局。
【請求項１７】
前記データ送信手段は、
前記第１の情報を、セルに在圏する複数の移動機に対して個別に通知するメッセージに設定して前記移動局へ通知する、請求項１３又は１４に記載の無線基地局。
【請求項１８】
前記セルに在圏する複数の移動機に対して個別に通知するメッセージは、
RRCConectionSetupメッセージ、MAC control element、又は、DCI formatである、請求項１７に記載の無線基地局。
【請求項１９】
前記第２の無線リソース群は、
前記マルチキャスト情報の送信には利用されない、請求項１３乃至１８のいずれか１項に記載の無線基地局。
【請求項２０】
前記第１及び第２の無線リソース群は、複数のタイムスロットにより構成されるフレームである、請求項１３乃至１９のいずれか１項に記載の無線基地局。
【請求項２１】
前記第１の無線リソース群は、マルチキャスト情報及びユニキャスト情報の送信に利用可能なＭＢＳＦＮサブフレームであり、前記第２の無線リソースは、ユニキャスト情報のみの送信に利用可能なノーマルサブフレームである、請求項２０に記載の無線基地局。
【請求項２２】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御する受信動作制御手段、を備える移動局。
【請求項２３】
前記受信動作制御手段は、
前記第１の情報が、前記第１の無線リソース群を用いて前記ユニキャスト情報を送信することを示す場合、前記第１の無線リソース群に設定され得る前記ユニキャスト情報の受信動作を行い、
前記第１の情報が、前記第１の無線リソース群を用いて前記ユニキャスト情報を送信しないことを示す場合、前記第１の無線リソース群に設定され得る前記ユニキャスト情報の受信動作を行わない、請求項２２に記載の移動局。
【請求項２４】
前記受信動作制御手段は、
前記第１の情報が、前記第１の無線リソース群を用いて前記ユニキャスト情報を送信しないことを示し、かつ前記無線基地局から前記ユニキャスト情報のみを受け取る場合又は前記マルチキャスト情報及び前記ユニキャスト情報を受け取る場合、前記第１の無線リソース群に設定され得る前記ユニキャスト情報の受信動作を行わない、請求項２３に記載の移動局。
【請求項２５】
前記受信動作制御手段は、
前記第１の情報が、前記第１の無線リソース群を用いて前記ユニキャスト情報を送信することを示し、かつ前記無線基地局から前記マルチキャスト情報及び前記ユニキャスト情報を受け取る場合、複数の前記第１の無線リソース群のうち前記マルチキャスト情報が送信される第１の無線リソース群における前記ユニキャスト情報の受信動作を行わない、請求項２３又は２４に記載の移動局。
【請求項２６】
請求項１３乃至２１のいずれか１項に記載の無線基地局と無線通信する移動局。
【請求項２７】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信する、データ送信方法。
【請求項２８】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報が無線基地局から送信されるか否かに関する第１の情報に基づいて、前記第１の無線リソース群の受信動作を制御する、データ受信方法。
【請求項２９】
マルチキャスト情報及びユニキャスト情報の送信に利用可能であって複数の無線リソースを含む第１の無線リソース群と、前記第１の無線リソース群とは異なる第２の無線リソース群とが規定されている場合に、前記第１の無線リソース群を用いて前記ユニキャスト情報を送信するか否かに関する第１の情報を移動局へ送信する処理をコンピュータに実行させるプログラム。
【国際調査報告】
2013014856.tif 000022
2013014856.tif 000023
2013014856.tif 000024
2013014856.tif 000025